【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
被検体に弾性波を送信し、被検体内で反射した反射波を受信して複数の受信信号に変換する複数の変換素子と、
前記複数の受信信号を用いた固定の重みでの加算処理を行い、第１の分布情報を取得する固定型信号処理手段と、
前記複数の受信信号を用いて、前記受信信号に応じて適応的に変化する重みで適応型信号処理を行い、第２の分布情報を取得する適応型信号処理手段と、
前記第１の分布情報と、前記第２の分布情報と、が入力され、前記被検体内の音響特性に関する分布を示す画像を表示手段に表示させるための画像情報を出力する表示制御手段と、
を有し、
前記表示制御手段は、
ユーザーにより入力された、前記音響特性に関する分布を表示する前記被検体内の深さ範囲の情報を受け、
前記深さ範囲が所定の範囲より狭い場合は、前記深さ範囲に対応する領域の前記第２の分布情報の画像、又は、前記第１の分布情報と前記第２の分布情報とが合成された合成画像を、前記音響特性に関する分布を示す画像として前記表示手段に表示させるための画像情報を出力することを特徴とする被検体情報取得装置。
【請求項２】
前記表示制御手段は、
前記深さ範囲の情報を受け、前記深さ範囲が所定の範囲より狭い場合に、前記深さ範囲に対応する領域の前記第２の分布情報の画像又は前記合成画像を表示させるための画像情報を出力する第１のモードと、
前記深さ範囲の情報を受けた場合に、前記深さ範囲に対応する領域の前記第１の分布情報の画像を表示させるための画像情報を出力する第２のモードと、
を選択的に実行可能に構成されていることを特徴とする請求項１に記載の被検体情報取得装置。
【請求項３】
前記表示制御手段は、
前記深さ範囲の情報を受け、前記深さ範囲が所定の範囲と同じもしくは広い場合は、前記深さ範囲に対応する領域の前記第１の分布情報の画像を表示させるための画像情報を出力することを特徴とする請求項１又は２に記載の被検体情報取得装置。
【請求項４】
前記表示制御手段は、
前記ユーザーにより入力された深さ範囲と、前記音響特性に関する分布を表示するための前記表示手段の画面内の表示エリアと、の関係により、前記音響特性に関する分布の表示倍率を決定することを特徴とする請求項１乃至３のいずれか１項に記載の被検体情報取得装置。
【請求項５】
前記表示制御手段は、
前記深さ範囲に対応する領域の前記第２の分布情報の画像又は前記合成画像を表示させる場合に、
前記深さ範囲に対応する領域を少なくとも含む範囲の前記第１の分布情報の画像と、前記範囲の第１の分布情報の画像内における前記深さ範囲に対応する領域を示すガイドと、を表示させることを特徴とする請求項１乃至４のいずれか１項に記載の被検体情報取得装置。
【請求項６】
前記適応型信号処理手段は、前記複数の受信信号を用いて、注目方向に関する感度を固定した状態で電力を最小化するように処理することを特徴とする請求項１乃至５のいずれか１項に記載の被検体情報取得装置。
【請求項７】
前記適応型信号処理手段は、前記複数の受信信号を用いて、深さ方向の注目位置に関する感度を固定した状態で電力を最小化するように処理することを特徴とする請求項１乃至５のいずれか１項に記載の被検体情報取得装置。
【請求項８】
前記表示制御手段は、
前記深さ範囲が所定の範囲より狭い場合は、前記合成画像を、前記音響特性に関する分布として前記表示手段に表示させるための画像情報を出力し、
前記深さ範囲に応じて、前記第１の分布情報と前記第２の分布情報との合成比率を変化させることを特徴とする請求項１乃至７のいずれか１項に記載の被検体情報取得装置。
【請求項９】
被検体情報取得装置で取得された分布情報を用いて、被検体内の音響特性に関する分布を示す画像を表示手段に表示する表示方法であって、
前記取得された分布情報は、
被検体に弾性波を送信し被検体内で反射した反射波を受信することにより得られる受信信号を用いた固定の重みでの加算処理を行うことで得られる第１の分布情報と、
前記複数の受信信号を用いて前記受信信号に応じて適応的に変化する重みで適応型信号処理を行うことにより得られる第２の分布情報と、
を含み、
ユーザーにより入力された、前記音響特性に関する分布を表示する前記被検体内の深さ範囲の情報を受け、
前記深さ範囲が所定の範囲より狭い場合は、前記深さ範囲に対応する領域の前記第２の分布情報の画像、又は、前記第１の分布情報と前記第２の分布情報とが合成された合成画像を、前記音響特性に関する分布を示す画像として表示するステップを有することを特徴とする表示方法。
【請求項１０】
前記深さ範囲の情報を受け、前記深さ範囲が所定の範囲より狭い場合に、前記深さ範囲に対応する領域の前記第２の分布情報の画像又は前記合成画像を表示する第１のモードと、
前記深さ範囲の情報を受け、前記深さ範囲に対応する領域の前記第１の分布情報の画像を表示する第２のモードと、
を選択可能に実行することを特徴とする請求項９に記載の表示方法。
【請求項１１】
前記深さ範囲が所定の範囲と同じもしくは広い場合は、前記深さ範囲に対応する領域の前記第１の分布情報の画像を表示することを特徴とする請求項９又は１０に記載の表示方法。
【請求項１２】
前記ユーザーにより入力された深さ範囲と、前記音響特性に関する分布を表示するための前記表示手段の画面内の表示エリアと、の関係により、前記音響特性に関する分布の表示倍率を決定するステップをさらに有することを特徴とする請求項９乃至１１のいずれか１項に記載の表示方法。
【請求項１３】
前記深さ範囲に対応する領域の前記第２の分布情報の画像又は前記合成画像を表示する場合に、
前記深さ範囲に対応する領域を少なくとも含む範囲の前記第１の分布情報の画像と、前記範囲の第１の分布情報の画像内における前記深さ範囲に対応する領域を示すガイドと、を表示することを特徴とする請求項９乃至１２のいずれか１項に記載の表示方法。
【請求項１４】
前記第２の分布情報は、前記複数の受信信号を用いて、注目方向に関する感度を固定した状態で電力を最小化するように適応型信号処理が行われることにより得られる分布情報であることを特徴とする請求項９乃至１３のいずれか１項に記載の表示方法。
【請求項１５】
前記第２の分布情報は、前記複数の受信信号を用いて、深さ方向の注目位置に関する感度を固定した状態で電力を最小化するように適応型信号処理が行われることにより得られる分布情報であることを特徴とする請求項９乃至１３のいずれか１項に記載の表示方法。
【請求項１６】
前記深さ範囲が所定の範囲より狭い場合は、前記合成画像を、前記音響特性に関する分布として表示し、
前記深さ範囲に応じて、前記第１の分布情報と前記第２の分布情報との合成比率を変化させることを特徴とする請求項９乃至１５のいずれか１項に記載の表示方法。
【請求項１７】
請求項９乃至１６のいずれか１項に記載の表示方法の各ステップをコンピュータに実行させるためのプログラム。
【手続補正２】
【補正対象書類名】明細書
【補正対象項目名】０００７
【補正方法】変更
【補正の内容】
【０００７】
本発明の被検体情報取得装置は、被検体に弾性波を送信し、被検体内で反射した反射波を受信して複数の受信信号に変換する複数の変換素子と、
前記複数の受信信号を用いた固定の重みでの加算処理を行い、第１の分布情報を取得する固定型信号処理手段と、
前記複数の受信信号を用いて、前記受信信号に応じて適応的に変化する重みで適応型信号処理を行い、第２の分布情報を取得する適応型信号処理手段と、
前記第１の分布情報と、前記第２の分布情報と、が入力され、前記被検体内の音響特性に関する分布を示す画像を表示手段に表示させるための画像情報を出力する表示制御手段と、
を有し、
前記表示制御手段は、
ユーザーにより入力された、前記音響特性に関する分布を表示する前記被検体内の深さ範囲の情報を受け、
前記深さ範囲が所定の範囲より狭い場合は、前記深さ範囲に対応する領域の前記第２の分布情報の画像、又は、前記第１の分布情報と前記第２の分布情報とが合成された合成画像を、前記音響特性に関する分布を示す画像として前記表示手段に表示させるための画像情報を出力することを特徴とする。
【手続補正３】
【補正対象書類名】明細書
【補正対象項目名】０００８
【補正方法】変更
【補正の内容】
【０００８】
また、本発明の表示方法は、被検体情報取得装置で取得された分布情報を用いて、被検体内の音響特性に関する分布を示す画像を表示する表示方法であって、
前記取得された分布情報は、
被検体に弾性波を送信し被検体内で反射した反射波を受信することにより得られる受信信号を用いた固定の重みでの加算処理を行うことで得られる第１の分布情報と、
前記複数の受信信号を用いて前記受信信号に応じて適応的に変化する重みで適応型信号処理を行うことにより得られる第２の分布情報と、
を含み、
ユーザーにより入力された、前記音響特性に関する分布を表示する前記被検体内の深さ範囲の情報を受け、
前記深さ範囲が所定の範囲より狭い場合は、前記深さ範囲に対応する領域の前記第２の分布情報の画像、又は、前記第１の分布情報と前記第２の分布情報とが合成された合成画像を、前記音響特性に関する分布を示す画像として表示するステップを有することを特徴とする。